(57)【要約】【課題】本発明は、簡単な構造で限られたスペースを有効に活用できる機器収納用ラックを提供することを目的とする。【解決手段】本発明に係る機器収納用ラック１の構造は、マウントアングル２はレール６に機器取り付け金具７を固定して構成され、機器取り付け金具７は、任意の長さで任意の位置に取り付け可能とし、取り付けられる機器の奥行き寸法や必要な配線スペースに合わせて機器の取り付け位置を変更可能としたことを特徴とする。【選択図】図２
2006332238.tif 000002
【特許請求の範囲】
【請求項１】
ラック本体の内部にマウントアングルを設け、該マウントアングルに機器を取り付けて成る機器収納用ラックにおいて、前記マウントアングルはレールに機器取り付け金具を固定して構成され、該機器取り付け金具は、任意の長さで任意の位置に取り付け可能とし、取り付けられる機器の奥行き寸法や必要な配線スペースに合わせて前記機器の取り付け位置を変更可能としたことを特徴とする機器収納用ラック。
【発明の詳細な説明】
【技術分野】
【０００１】
本発明は、ラック本体の内部にマウントアングルを設け、マウントアングルに機器を取り付けて成る機器収納用ラックに関するものである。
【背景技術】
【０００２】
機器収納用ラック３１には、サーバ３２やハブやルータ等のＬＡＮ用の機器３３等を混載する。機器はラック本体３１ａに設けられたマウントアングル３４にねじ止めし、機器の前面はマウントアングル３４の前面の同一面上にある。ラック３１の選定は、奥行き寸法の大きいサーバ３２に合わせたものを選定していた。
【非特許文献１】カワムララックカタログＮＯ．８  河村電器産業株式会社  ２００３年７月１日発行
【発明の開示】
【発明が解決しようとする課題】
【０００３】
しかしながら上記従来の機器収納用ラック３１では、収納される機器の種類や大きさに関わらず、前面位置は面一であった。ＬＡＮ用機器３３は前面部で配線するため、マウントアングル３４を配線スペースＢを考慮した位置に設置していた。一方サーバ３２は前面部での配線は必要ないが、ＬＡＮ用機器３３と同一のマウントアングル３４に取り付けるため、機器収納用ラック３１の内部で、サーバ３２の前面に無駄なスペースＣができていた。
【０００４】
サーバ３２の前面には無駄なスペースＣが発生するにもかかわらず、サーバ３２の奥行き寸法に合わせて機器収納用ラック３１を選定するため、機器収納用ラック３１全体が大きくなってしまい、価格が上昇するという欠点があった。また、機器収納用ラックの設置場所の制約も増えてしまう。
【課題を解決するための手段】
【０００５】
本発明は、簡単な構造で限られたスペースを有効に活用できる機器収納用ラックを提供することを目的とし、その構造は、マウントアングルはレールに機器取り付け金具を固定して構成され、機器取り付け金具は、任意の長さで任意の位置に取り付け可能とし、取り付けられる機器の奥行き寸法や必要な配線スペースに合わせて機器の取り付け位置を変更可能としたことを特徴とする。
【発明の効果】
【０００６】
本発明に係る機器収納用ラックは、マウントアングルはレールに機器取り付け金具を固定して構成され、機器取り付け金具は、任意の長さで任意の位置に取り付け可能とし、取り付けられる機器の奥行き寸法や必要な配線スペースに合わせて機器の取り付け位置を変更可能としたため、サーバとＬＡＮ用機器と寸法や使用方法も異なる機器を同じ機器収納用ラックに混載できる。前面側に配線スペースの必要がないサーバは機器収納用ラックの前面いっぱいの位置に取り付けられ、同じマウントアングルに、前面に配線スペースの必要なＬＡＮ用機器も取り付けが可能である。サーバはＬＡＮ用機器より奥行き寸法が大きく、機器収納用ラックの選定はサーバの寸法を基準としていたが、サーバが前面に近く取り付けられるため、機器収納用ラックも小さいものを使用できる。限られたスペースを有効に活用できる。また機器の設置位置を変更する場合にも、機器収納用ラックを取り替えることなく、容易に行える。
【発明を実施するための最良の形態】
【０００７】
機器収納用ラックの限られたスペースを有効に活用するという目的を、本発明は、することを最も主要な特徴とする。
【実施例１】
【０００８】
本発明に係る機器収納用ラックに係る実施例を図１〜図３の添付図面に基づいて説明する。
【０００９】
機器収納用ラック１はラック本体１ａ内部、前面側にマウントアングル２を取り付け、マウントアングル２に機器をねじ止めして収納する。ラック本体１ａの前面には開口３が設けられ、開口３は扉体４で施蓋される。機器収納用ラック１に収納される機器は前面取り付け型が多く、前面側にマウントアングル２を設けてこのマウントアングル２に機器を取り付ける。機器が重い場合や、大きい場合には、ラック本体１ａの背面側にマウントレール５を設け、マウントレール５にも機器をねじ止めしたり、ラック本体１ａにサイドレール（図示せず）を渡し、このサイドレールにも機器を支持させることができる。
【００１０】
マウントアングル２は、レール体６に機器取り付け金具７を固定して構成される。レール体６には本体取り付け穴６ａと機器取り付け金具用穴６ｂとが設けられる。本体取り付け穴６ａを用いてレール体６はラック本体１ａに取り付けられる。機器取り付け金具用穴６ｂは、レール体６を機器収納用ラック１に取り付けた時の前面側に設けられ、機器をねじ止めにより取り付ける。
【００１１】
レール体６の機器取り付け金具用穴６ｂを用いて、機器取り付け金具７を固定する。機器取り付け金具７はＬＡＮ用機器金具７ａやサーバ用金具７ｂ等、取り付け機器により形状が異なる。
【００１２】
ＬＡＮ用機器８は前面側で配線するため、ラック本体１ａの扉体４から配線スペースＡ、離した位置にとりつけたいので、ＬＡＮ用機器金具７ａは機器取り付け穴９を設け、レール体６に高さを加えずに固定する。ＬＡＮ用機器金具７ａにＬＡＮ用機器８をねじ止めしラック本体１ａに収納するものである。
【００１３】
一方、サーバ１０は前面で配線する必要がないので、ラック本体１ａの扉体４いっぱいのところに取り付けが可能である。レール体６ａに、高さ寸法を有し、機器取り付け穴１１が設けられたサーバ用金具７ｂを固定する。サーバ用金具７ｂの機器取り付け穴９にサーバ１０をねじ止めし、ラック本体１ａに収納するもである。
【００１４】
機器取り付け金具７は、機器収納用ラック１に収納する機器の種類や寸法に合わせて予め用意し、ＬＡＮ、サーバ用の金具７ａ、７ｂをユニット単位で取り付けられるようにする。
【００１５】
サーバ１０はＬＡＮ用機器８より奥行き寸法が大きいので、機器収納用ラック１の選定においては、大きい機器が基準となるため、ＬＡＮ用機器８の前後には余分なスペースができてしまっていたが、本発明に係る機器取り付けのための金具７ａ、７ｂを用いることによって、大きい寸法のサーバ１０をラック本体１ａに取り付ける時、扉体４いっぱいに設置できるので、従来選定していた機器収納用ラック１より小さいものに収納可能となり、製造コストも引き下げられ、また、小さいスペースでの設置が可能であるため機器収納用ラックの設置場所の制約も少なくなる。
【産業上の利用可能性】
【００１６】
設置後、機器収納用ラックの内部のレイアウト変更が行われる場合、ＬＡＮやサーバの変更があっても機器を取り付けるための金具を取り替えて対応できる。
【図面の簡単な説明】
【００１７】
【図１】本発明に係る機器収納用ラックを示した説明図である。（実施例１）
【図２】図１におけるマウントアングル部分の説明図である。（実施例１）
【図３】図１におけるラック内側を示した側面図である。（実施例１）
【図４】従来の機器収納用ラックを示した説明図である。
【図５】図４におけるラック内側を示した側面図である。
【符号の説明】
【００１８】
１    機器収納用ラック
２    マウントアングル
３    開口
４    扉体
５    マウントレール
６    レール体
６ａ  本体取り付け穴
６ｂ  機器取り付け金具用穴
７    機器取り付け金具
７ａ  ＬＡＮ用機器金具
７ｂ  サーバ用金具
８    ＬＡＮ用機器
９    機器取り付け穴
１０  サーバ
１１  機器取り付け穴
【図１】
2006332238.tif 000003
【図２】
2006332238.tif 000004
【図３】
2006332238.tif 000005
【図４】
2006332238.tif 000006
【図５】
2006332238.tif 000007